(57)【要約】      （修正有）【課題】  簡単に形成することができて損傷し難いパターンを提供する。【解決手段】  ガラス基板２の裏面２ｂにはドットＤによって構成されるドットパターンが形成されている。そしてドットＤの上面には、ドットＤと認識されない保護膜ＤＰがドットＤの表面全体を覆うように形成されている。識別コードとしてのドットパターンと２次元コードリーダーがドットと識別しない透明樹脂からなる保護膜の形成はインクジェット方で行う。【選択図】図３
2006221273.tif 000002
【特許請求の範囲】
【請求項１】
基板に形成される所定のパターン形成領域に、選択的に液滴吐出装置から液状体を吐出させて形成させるパターン形成要素を、配列形成されるパターンにおいて、
前記パターン形成要素上に、前記パターン形成要素とは認識されない保護要素を形成したことを特徴とするパターン。
【請求項２】
請求項１に記載のパターンにおいて、
前記保護要素は、前記パターン形成要素を認識する認識手段が前記パターン形成要素と認識されない色又は透明であることを特徴とするパターン。
【請求項３】
請求項１又は２に記載のパターンにおいて、
前記保護要素は、非導電性の材質で形成されていることを特徴とするパターン。
【請求項４】
請求項１〜３のいずれか１項に記載のパターンにおいて、
前記パターンは、識別コードであることを特徴とするパターン。
【請求項５】
請求項１〜４のいずれか１項に記載のパターンにおいて、
前記基板は、表示装置の表示用基板であることを特徴とするパターン。
【発明の詳細な説明】
【技術分野】
【０００１】
本発明は、パターンに関する。
【背景技術】
【０００２】
従来、液晶ディスプレイ装置や有機エレクトロルミネッセンス表示装置（有機ＥＬ表示装置）等の電気光学装置は、基板上に複数の電気光学素子を形成している。一般に、この種の基板には、品質管理・製品管理等の目的で、製造番号、又は製造番号をコード化した２次元コード等の固有の識別コードが描画されている。この識別コードは、認識手段としての専用のコードリーダによって読み取られ、解読される。
【０００３】
この基板に識別コードを描画する方法として、基板（ガラス基板）に金属箔付きフィルムを対面させレーザ光を照射して、金属膜を基板に転写させて基板にマークを形成したり、また、研磨材を含んだ水を基板等に噴射し、基板に番号等を刻印する方法が提案されている（特許文献１、特許文献２）。
【０００４】
ところで、上記各描画方法は、描画工程が多く、装置も高価で大型化する問題があった。そこで、装置も安価で小型であって、描画も短時間で容易なインクジェット法がある。インクジェット法は、液滴吐出装置を用いて、吐出ノズルから機能液（インク液滴）を基板に対して吐出させて２次元バーコード等の識別コードのパターンを形成する。
【特許文献１】特開平１１−７７３４０号公報
【特許文献２】特開２００３−１２７５３７号公報
【発明の開示】
【発明が解決しようとする課題】
【０００５】
ところが、このインクジェット法は、基板に付着したインクの密着力が弱く剥離し易かった。特に、パターン（識別コード）を形成した後、ワークステージや搬送ライン等でパターンの表面が擦れてパターンを構成するパターン形成要素としてのドット（インク）が剥離してコードリーダによる解読が困難になることが多々生じる問題があった。
【０００６】
本発明は、上記問題点を解消するためになされたものであり、その目的は、簡単に形成することができて損傷し難いパターンを提供することにある。
【課題を解決するための手段】
【０００７】
本発明のパターンは、基板に形成される所定のパターン形成領域に、選択的に液滴吐出装置から液状体を吐出させて形成させるパターン形成要素を、配列形成されるパターンにおいて、前記パターン形成要素上に、前記パターン形成要素とは認識されない保護要素を形成した。
【０００８】
本発明のパターンによれば、パターン形成要素と認識されない保護要素を、パターン形成領域に形成されるパターン形成要素上に形成した。従って、例えば、基板に形成したパターンが何かに物理的接触する前に、保護要素が接触するので、パターン形成要素が擦れて損傷することが防止される。その結果、確実にパターンを読み取ることができる。
【０００９】
このパターンは、前記保護要素は、前記パターン形成要素を認識する認識手段が前記パターン形成要素と認識されない色又は透明である。
このパターンによれば、保護要素はパターン形成要素と異なる色又は透明であるため、認識手段はパターン形成要素と認識されない。
【００１０】
このパターンは、前記保護要素は、非導電性の材質で形成されている。このパターンによれば、保護要素を非導電性の材質で形成したため、万が一剥がれてその破片や微粒子がその他の製造工程において製品の表面に付着しても、表面の電気的絶縁性が保持される。
【００１１】
このパターンは、前記パターンは、識別コードである。このパターンによれば、パターンは識別コードであるため、識別コードを形成するためのパターン形成領域を小さくすることができる。
【００１２】
このパターンは、前記基板は、表示装置の表示用基板である。このパターンによれば、表示用基板に形成されたパターンは確実に読み取ることができる。
【発明を実施するための最良の形態】
【００１３】
以下、本発明のパターンを具体化した実施形態を図１〜図１０に従って説明する。
まず、本発明のパターンとしてのドットパターンが形成された、液晶表示装置の表示モジュールについて説明する。図１は液晶表示装置の液晶表示モジュールの正面図、図２は液晶表示モジュールの裏面に形成されたドットパターンの正面図、図３は液晶表示モジュールの裏面に形成されたドットパターンの要部側面図である。
【００１４】
図１において、液晶表示モジュール１は、基板及び表示用基板としての光透過性のガラス基板２を備えている。そのガラス基板２の表面２ａの略中央位置には、液晶を封入した四角形状の表示部３が形成され、その表示部３の外側には走査線駆動回路４及びデータ線駆動回路５が形成されている。
【００１５】
ガラス基板２の裏面２ｂの右隅には、液晶表示モジュール１の識別コードとしてのドットパターン１０が形成されている。ドットパターン１０は、図２に示すように、パターン形成領域Ｚ１内に形成される複数のパターン形成要素としてのドットＤにて構成されている。そして、パターン形成領域Ｚ１に形成されたドットパターン１０は、本実施形態では識別コードとしての２次元コードであって、認識手段としての２次元コードリーダで読み取られる。
【００１６】
パターン形成領域Ｚ１は、１〜２ｍｍ角の正方形の領域であって、図４に示すように、１６行×１６列の各セルＳに仮想分割され、その分割された各セルＳに対して選択的にドットＤが形成される。なお、その分割されたセルＳ内にドットＤが形成されるセルＳを黒セルＳ１と、セルＳ内にドットＤが形成されないセルＳを白セルＳ０（非形成領域）という。そして、１６行×１６列の各セルＳに対して選択的にドットＤが形成され、その各ドットＤで構成する液晶表示モジュール１の識別するためのドットパターン１０（２次元コード）が形成される。
【００１７】
黒セルＳ１（ドット領域）に形成されるドットＤは、図２及び図３に示すように、半球状にガラス基板２に密着して形成されている。このドットＤの形成方法は、本実施形態ではインクジェット法で行う。詳述すると、ドットＤは、後記する液滴吐出装置２０の吐出ノズル（第１ノズル２８）からマンガン微粒子を含む機能液の液滴３１（図８参照）を液状体及び保護用液状体としてセルＳ（黒セルＳ１）に吐出させる。次に、その黒セルＳ１に着弾した液滴３１を、乾燥し焼結させてマンガン微粒子を互いに結合させて硬化させることによって、ガラス基板２に密着したマンガンよりなる半球状のドットＤが形成される。
【００１８】
また、図２及び図３に示すように、パターン形成領域Ｚ１内に形成されるドットＤの上面には、保護要素としての保護膜ＤＰが形成されている。保護膜ＤＰは、ガラス基板２に
形成されたドットＤの半球状の表面全体を覆うように、ドットＤに密着して形成されている。本実施形態では、保護膜ＤＰは、非導電性の材質であり、しかも、２次元コードリーダがドットＤと認識しない透明なポリイミド樹脂を固化させて形成されている。この保護膜ＤＰの形成方法は、本実施形態では前記と同様にインクジェット法で行う。詳述すると、保護膜ＤＰは、ドットＤが形成された後、液滴吐出装置２０の液滴吐出ノズル（第２ノズル２９）からドットＤと認識しない透明なポリイミド樹脂を含む機能液の液滴３２（図９参照）を液状体及び保護用液状体として、前述したセルＳ（黒セルＳ１）に吐出させる。即ち、既に乾燥し焼結されて固化処理されたドットＤの上面に液滴３２が吐出される。そして、液滴３２がドットＤの表面に着弾し、ドットＤの表面全体を覆った後、液滴３２を乾燥させる。これにより、ポリイミド樹脂が硬化され、ドットＤの表面全体に保護膜ＤＰが形成される。
【００１９】
従って、ドットパターン１０の上面には、ドットパターン１０を構成するドットＤの表面全体を覆った、しかも、ドットパターン１０の読み取りに影響を与えない透明な保護膜ＤＰが形成される。
【００２０】
次に、ガラス基板２の裏面２ｂにドットパターン１０を形成するために使用される液滴吐出装置２０について説明する。
図５及び図６に示すように、液滴吐出装置２０は、支持台２１を有し、その支持台２１には、搬送台２２が設けられている。搬送台２２は、支持台２１に対して図示しないＹ軸駆動機構により、Ｙ矢印方向及び反Ｙ矢印方向に沿って往復移動するようになっている。
【００２１】
この搬送台２２には、ガラス基板２がその裏面２ｂを上側にして戴置され、ガラス基板２を、Ｙ矢印方向及び反Ｙ矢印方向に搬送するようになっている。そして、搬送台２２によって搬送されるガラス基板２は、その裏面２ｂのパターン形成領域Ｚ１にドットＤ及び保護膜ＤＰを形成するための液滴３１，３２が吐出されるようになっている。
【００２２】
支持台２１には門形の支持フレーム２３が、Ｙ矢印方向（反Ｙ矢印方向）に移動する搬送台２２を跨ぐように立設されている。支持フレーム２３は、Ｘ矢印方向に沿って、支持台２１に架設されている。この支持フレーム２３には、Ｘ矢印方向に延びるガイドレール２４が配設されている。
【００２３】
ガイドレール２４には、キャリッジ２５が摺動可能に設けられている。このキャリッジ２５は、Ｘ軸駆動機構により、ガイドレール２４に沿って往復移動可能になっている。
またキャリッジ２５には、液滴吐出ヘッド２６が一体に設けられている。図７は、液滴吐出ヘッド２６の下面を上方に向けた場合の斜視図を示す。液滴吐出ヘッド２６は、その下面にノズルプレート２７を備え、ノズルプレート２７には、本実施形態ではドットパターン１０を構成する複数のドットＤを形成するための１６個の第１ノズル２８がＸ矢印方向に一列となって等間隔に貫通形成されている。また、ノズルプレート２７には、本実施形態では保護膜ＤＰを形成するための１６個の第２ノズル２９がＸ矢印方向に一列となって等間隔に貫通形成されている。１６個の第１ノズル２８からなる第１ノズル列と１６個の第２ノズル２９からなる第２ノズル列は、併設されていて、両ノズル列の各ノズル２８，２９間の間隔は共に同じになるように形成されている。
【００２４】
さらに、液滴吐出ヘッド２６は、第１及び第２ノズル２８，２９に対応して圧電素子４２（図１０参照）がそれぞれ備えられ、その圧電素子４２に対して印加電圧を制御ことにより、液滴吐出ヘッド２６内に一時貯留されている各機能液をそれぞれ液滴３１，３２にして吐出するようになっている。つまり、液滴吐出ヘッド２６は、マンガン微粒子を含む機能液と、ポリイミド樹脂を含む機能液を貯留している。そして、図８及び図９に示すように、第１ノズル列の各第１ノズル２８からはマンガン微粒子を含む機能液の液滴３１が
吐出される。また、第２ノズル列の各第２ノズル２９からはポリイミド樹脂を含む機能液の液滴３２が吐出される。
【００２５】
次に、上記のように構成した液滴吐出装置２０の電気的構成を図１０に従って説明する。
図１０において、制御部４０は、ＣＰＵ、ＲＡＭ、ＲＯＭ等を備え、ＲＯＭ等に格納された制御プログラム、識別コード（二次元コード）作成プログラムに従って、搬送台２２を移動させてガラス基板２の搬送処理動作及び液滴吐出ヘッド２６（圧電素子４２）を駆動させて液滴吐出処理動作を行う。また、ＲＯＭには、ガラス基板２に二次元コードとしてのパターン１０を構成するドットＤ及び該ドットＤを保護する保護膜ＤＰを作成するためのビットマップデータＢＭＤがそれぞれ予め格納されている。例えば、二次元コードの作成に係るビットマップデータＢＭＤの場合、製造番号、ロット番号等の文字列、数字列等からなる各識別データを、各識別データ毎に公知の方法でニ次元コード（ドットパターン１０）化し、さらにビットマップ化した（１６行×１６列のセルＳからなるパターン形成領域Ｚ１中のどのセルＳ（黒セルＳ１）にドットＤを形成するための液滴３１をどのノズルを使ってどのタイミングで吐出させるかを決定する）データである。
【００２６】
また、保護膜ＤＰの作成に係るビットマップデータＢＭＤの場合、ガラス基板２に作成される二次元コード（ドットパターン）毎に個別に対応されたデータであって、該二次元コードを構成するドットＤ上に保護膜ＤＰを形成させるデータである。詳しくは、該二次元コードを構成する１６行×１６列のセルＳからなるパターン形成領域Ｚ１中のどのセルＳ（黒セルＳ１）に保護膜ＤＰを形成するための液滴３２をどのノズルを使ってどのタイミングで吐出させるかを決定するデータである。
【００２７】
尚、保護膜ＤＰの作成に係るビットマップデータＢＭＤは、二次元コードの作成に係るビットマップデータＢＭＤと同じデータとなる。なぜなら、保護膜ＤＰのための液滴３２は、先に形成された全てのドットＤに対してのみ吐出されるものであるので、各第２ノズル２９（圧電素子４２）の駆動制御は、各第１ノズル２８（圧電素子４２）の駆動制御と同じになるからである。
【００２８】
制御部４０は、ノズル駆動回路４１が接続され、ノズル駆動回路４１にノズル駆動信号を出力する。ノズル駆動回路４１は、制御部４０からのノズル駆動信号に基づいて、液滴吐出ヘッド２６に設けた各圧電素子４２のうち、ノズル駆動信号に応じた圧電素子４２を通電して駆動させる。そして、その圧電素子４２に対応する各ノズル２８，２９から液滴３１，３２をガラス基板２に向かって吐出させる。
【００２９】
また、制御部４０は、Ｘ軸モータ駆動回路４３が接続され、Ｘ軸モータ駆動回路４３にＸ軸モータ駆動制御信号を出力するようになっている。Ｘ軸モータ駆動回路４３は、制御部４０からのＸ軸モータ駆動制御信号に応答して、前記キャリッジ２５を往復移動させるＸ軸駆動機構中のＸ軸モータＭＸを正転又は逆転させるようになっている。そして、例えば、Ｘ軸モータＭＸを正転させると、キャリッジ２５はＸ矢印方向に移動し、逆転させるとキャリッジ２５は反Ｘ矢印方向に移動するようになっている。
【００３０】
また、制御部４０は、Ｙ軸モータ駆動回路４４が接続され、Ｙ軸モータ駆動回路４４にＹ軸モータ駆動制御信号を出力するようになっている。Ｙ軸モータ駆動回路４４は、制御部４０からのＹ軸モータ駆動制御信号に応答して、前記搬送台２２を往復移動させるＹ軸駆動機構中のＹ軸モータＭＹを正転又は逆転させるようになっている。例えば、Ｙ軸モータＭＹを正転させると、搬送台２２はＹ矢印方向に移動し、逆転させると搬送台２２は反Ｙ矢印方向に移動する。
【００３１】
さらに、制御部４０には、基板検出装置４５が接続されている。基板検出装置４５は、ガラス基板２の端縁を検出し、制御部４０によって吐出ヘッド２６の直下を通過するガラス基板２の位置を算出する際に利用される。
【００３２】
また、制御部４０は、Ｘ軸モータ回転検出器４６が接続され、Ｘ軸モータ回転検出器４６からの検出信号が入力される。制御部４０は、この検出信号に基づいて、Ｘ軸モータＭＸの回転方向及び回転量を検出し、液滴吐出ヘッド２６（キャリッジ２５）のＸ矢印方向の移動量と、移動方向とを演算するようになっている。また、制御部４０は、Ｙ軸モータ回転検出器４７が接続され、Ｙ軸モータ回転検出器４７からの検出信号が入力される。制御部４０は、Ｙ軸モータ回転検出器４７からの検出信号に基づいて、Ｙ軸モータＭＹの回転方向及び回転量を検出し、液滴吐出ヘッド２６に対するガラス基板２のＹ矢印方向の移動方向及び移動量を演算する。
【００３３】
また、制御部４０には、入力装置４８が接続されている。入力装置４８は、起動スイッチ、停止スイッチ等の操作スイッチを有し、各スイッチの操作による操作信号を制御部４０に出力する。
【００３４】
次に、液滴吐出装置２０を使ってドットパターン１０をガラス基板２の裏面２ｂに形成する方法について説明する。
まず、図５及び図６に示すように、ガラス基板２を、裏面２ｂが上側になるように搬送台２２に配置固定する。このとき、ガラス基板２の反Ｙ矢印側の辺は、支持フレーム２３よりＹ矢印側に配置されている。また、キャリッジ２５（液滴吐出ヘッド２６）は、ガラス基板２が反Ｙ矢印方向に移動したとき、その直下を、ドットパターン１０を形成する位置（パターン形成領域Ｚ１）が通過する位置にセットされている。
【００３５】
この状態から、制御部４０は、Ｙ軸モータＭＹを駆動制御して搬送台２２を介してガラス基板２を反Ｙ矢印方向に搬送させる。やがて、基板検出装置４５がガラス基板２の反Ｙ矢印側の端縁を検出すると、制御部４０は、コード作成プログラムに従って、ＲＯＭに格納した当該ガラス基板２に対するビットマップデータＢＭＤのうち、ドットパターン１０の作成に係るビットマップデータＢＭＤを読み出す。そして、このドットパターン１０の作成に係るビットマップデータＢＭＤを液滴吐出ヘッド２６の第１ノズル２８を駆動させるための液滴吐出データに変換して吐出タイミングを待つ。
【００３６】
制御部４０は、Ｙ軸モータ回転検出器４７からの検出信号に基づいてガラス基板２がドットパターン１０を形成する位置まで搬送されたかどうか演算する。そして、ガラス基板２がドットパターン１０を形成する位置まで搬送されると、制御部４０は、ガラス基板２を反Ｙ矢印方向に移動させながら、作成した液滴吐出データとその吐出タイミングに基づいてノズル駆動回路４１にノズル駆動信号を出力する。
【００３７】
詳述すると、液滴吐出ヘッド２６の各ノズル２８に対応する圧電素子４２を液滴吐出データと吐出タイミングに基づいて順次駆動する。このとき、ガラス基板２には、ドットパターン１０を構成するドットＤを形成するための液滴３１が吐出される。
【００３８】
そして、パターン形成領域Ｚ１にドットＤを形成するための液滴３１が吐出されると、液滴吐出装置２０によるドットパターン１０形成のための液滴吐出動作を終了する。そして、制御部４０は、Ｙ軸モータＭＹを制御して、ガラス基板２を液滴吐出ヘッド２６の下方位置から退出させる。
【００３９】
ドットパターン１０を形成作成するための液滴吐出工程が終了したガラス基板２は、図示しない加熱工程に移る。これにより、ガラス基板２に吐出されたドットＤを形成するた
めの液滴３１の分散媒が蒸発し、液滴３１に含まれていた微粒子がガラス基板２に固着される。ガラス基板２に固着された各微粒子は、焼結されて互いに接合し硬化状態となる。これにより、図３に示すように、半球状のドットＤがガラス基板２上に形成される。従って、パターン形成領域Ｚ１には、ドットパターン１０が形成される。
【００４０】
そして、図５及び図６に示すように、再びガラス基板２を、裏面２ｂが上側になるように搬送台２２に配置固定する。このとき、ガラス基板２の反Ｙ矢印側の辺は、支持フレーム２３よりＹ矢印側に配置され、キャリッジ２５（液滴吐出ヘッド２６）は、ガラス基板２が反Ｙ矢印方向に移動したとき、その直下を、パターン１０を形成する位置（パターン形成領域Ｚ１）が通過する位置にセットされている。
【００４１】
この状態から、制御部４０は、Ｙ軸モータＭＹを駆動制御して搬送台２２を介してガラス基板２を反Ｙ矢印方向に搬送させる。やがて、基板検出装置４５がガラス基板２の反Ｙ矢印側の端縁を検出すると、制御部４０は、コード作成プログラムに従って、ＲＯＭに格納した当該ガラス基板２に対するビットマップデータＢＭＤのうち、ドットパターン１０に対応する保護膜ＤＰの作成に係るビットマップデータＢＭＤを読み出す。そして、このドットパターン１０に対応する保護膜ＤＰの作成に係るビットマップデータＢＭＤを液滴吐出ヘッド２６の第２ノズル２９を駆動させるための液滴吐出データに変換して吐出タイミングを待つ。
【００４２】
制御部４０は、Ｙ軸モータ回転検出器４７からの検出信号に基づいてガラス基板２が保護膜ＤＰを形成する位置まで搬送されたかどうか演算する。そして、ガラス基板２が保護膜ＤＰを形成する位置まで搬送されると、制御部４０は、ガラス基板２を反Ｙ矢印方向に移動させながら、作成した液滴吐出データとその吐出タイミングに基づいてノズル駆動回路４１にノズル駆動信号を出力する。
【００４３】
詳述すると、液滴吐出ヘッド２６の各ノズル２９に対応する圧電素子４２を液滴吐出データと吐出タイミングに基づいて順次駆動する。このとき、ガラス基板２には、保護膜ＤＰを形成するための液滴３２が吐出される。本実施形態においては、ドットパターン１０を構成するドットＤが形成される黒セルＳ１（図４参照）に対して、保護膜ＤＰを形成するための液滴３２が吐出される。これにより、既に固化処理された半球状のドットＤの上面に液滴３２が吐出される。また、圧電素子４２は、保護膜ＤＰを形成するための液滴３２を吐出させるとき、保護膜ＤＰを形成するために吐出される液滴３２が、ドットＤの表面全体を隈なく覆うのに十分な量を吐出するように、駆動制御されるようになっている。
【００４４】
そして、パターン形成領域Ｚ１に保護膜ＤＰを形成するための液滴３２が吐出されると、液滴吐出装置２０による保護膜ＤＰ形成のための液滴吐出動作を終了する。そして、制御部４０は、Ｙ軸モータＭＹを制御して、ガラス基板２を液滴吐出ヘッド２６の下方位置から退出させる。
【００４５】
保護膜ＤＰを形成作成するための液滴吐出工程が終了したガラス基板２は、図示しない加熱工程に移る。これにより、ドットＤの表面全体に吐出された保護膜ＤＰを形成するための液滴３２の分散媒が蒸発し、液滴３２に含まれていた透明なポリアミド樹脂がドットＤの表面全体と固着される。ドットＤの表面全体に固着された透明なポリアミド樹脂は、乾燥されて硬化状態となる。従って、ドットパターン１０を構成するドットＤの表面全体には、透明な保護膜ＤＰが形成される。即ち、ガラス基板２には、ドットパターン１０が描画され、さらに、該ドットパターン１０の上面に保護膜ＤＰが形成されるため、簡単に形成することができて損傷し難いドットパターン１０が形成される。
【００４６】
次に本実施形態の効果を以下に記載する。
（１）本実施形態によれば、ドットパターン１０を形成した後、ドットパターン１０を構成するドットＤの上面に、ドットＤの表面全体を覆うように、しかもコードリーダがドットＤと認識しない保護膜ＤＰを形成した。
【００４７】
これにより、例えば、ガラス基板２に形成したドットパターン１０が何かに物理的接触する前に、ドットＤの上面に形成された保護膜ＤＰが接触するので、ドットパターン１０を構成するドットＤが擦れて損傷することが防止される。その結果、コードリーダは確実にドットパターン１０（識別コード）を読み取ることができる。
【００４８】
（２）本実施形態によれば、保護膜ＤＰを、ドットＤとともに液滴吐出装置２０を使って形成した。これにより、簡単かつ短時間で精度の高く損傷し難いドットパターン１０を形成することができる。しかも、保護膜ＤＰは、ドットＤに対してだけ使用されるだけなので、機能液が無駄に使用されることはない。
【００４９】
（３）本実施形態によれば、保護膜ＤＰは、透明なポリイミド樹脂によって形成した。これにより、保護膜ＤＰは、二次元コードリーダによってドットＤと認識されることがない。従って、ドットパターン１０は、二次元コードリーダによって正確に読み取られることができる。
【００５０】
（４）本実施形態では、ドットＤをマンガンで形成して、保護膜ＤＰをポリイミド樹脂で形成した。即ち、導電性の低いマンガンでドットＤを形成し、非導電性の材料であるポリイミド樹脂で保護膜ＤＰを形成したため、万が一、ドットＤ若しくは保護膜ＤＰが擦れて剥がれて他の装置等に付着しても、装置の故障等を招く原因となることを防止できる。また、製造工程においてガラス基板２に形成された絶縁膜中にマンガン若しくはポリイミド樹脂が微量混入するようなことがあっても、絶縁膜の絶縁性を保持することができる。
【００５１】
また、液滴３１に含まれる微粒子が導電率の低いマンガンの微粒子であり、さらに液滴３２に含まれる樹脂が非導電性の材料であるポリイミド樹脂であるため、液滴３１，３２を吐出する際に液滴３１，３２のミストが電子装置等に付着しても、装置の故障等を招く原因となることを防止できる。
【００５２】
（５）上記実施形態では、液滴吐出装置２０を使用して、ドットパターン１０を形成するようにした。このため、レーザ照射、研磨等による刻印のように、ガラス基板２を変形させることなく、耐久性の高いドットパターン１０を作成することができる。従って、液晶表示モジュール１の設計の自由度を妨げることなく、パターン形成領域Ｚ１（ドットパターン１０）の形成可能な領域を拡大することができる。
【００５３】
なお、上記実施形態は以下のように変更してもよい。
○上記実施形態では、保護膜ＤＰは、ドットＤの上面にのみ選択的に形成した。これに代えて、保護膜ＤＰは、パターン形成領域Ｚ１全体に形成させてもよい。
【００５４】
○上記実施形態では、ドットＤをマンガンで形成した。これに代えて、コードリーダで読み取ることができるものであるならば、その他金属、顔料で形成して実施してもよい。
○上記実施形態では、保護膜ＤＰは、ポリイミド樹脂により形成した。これに代えて、エポキシ樹脂など、熱耐久性のある他の材料によって保護膜ＤＰを形成してもよい。また、特に透明に限らず、保護膜ＤＰをコードリーダによってドットＤと認識しない色で、即ち、ドットＤを形成するマンガン微粒子と異なる色をした樹脂によって保護膜ＤＰを形成してもよい。
【００５５】
○上記実施形態では、パターン形成要素を半球状のドットＤで具体化した。これに代え
て、ドットＤは、例えば、その平面形状が楕円形のドットであったり、バーコードを構成するバーのように線状であったりしてもよい。
【００５６】
○上記実施形態では、パターンは２次元コードの識別コードであった。これに代えて、パターンは、例えばバーコードであってもよい。さらに、パターンは、文字、数字、記号等であってもよい。
【００５７】
○上記実施形態では、基板としてガラス基板２を用いた。これに代えて、基板はシリコンウェハ、樹脂フィルム、金属板などであってもよい。
○上記実施形態では、液晶表示モジュール１に具体化した。これに限らず、例えば有機エレクトロルミネッセンス表示装置の表示モジュールであってもよく、あるいは平面状の電子放出素子を備え、同素子から放出された電子による蛍光物質の発光を利用した電界効果型装置（ＦＥＤやＳＥＤ等）を備えた表示モジュールであってもよい。また、ドットパターン１０が形成されたガラス基板２等は、これらの表示装置のみでなく、他の電子機器に使用してもよい。
【図面の簡単な説明】
【００５８】
【図１】液晶表示装置の液晶表示モジュールの正面図。
【図２】液晶表示モジュールの裏面に形成されたドットパターンの正面図。
【図３】液晶表示モジュールの裏面に形成されたドットパターンの要部側面図。
【図４】ドットパターンの構成を説明するための説明図。
【図５】本実施形態の液滴吐出装置の要部正面図。
【図６】同じく、液滴吐出装置の平面図。
【図７】液滴吐出ヘッドを説明するための斜視図。
【図８】液滴吐出ヘッドの第１ノズルを示す要部側面図。
【図９】液滴吐出ヘッドの第２ノズルを示す要部側面図。
【図１０】液滴吐出装置の電気的構成を説明するための電気ブロック回路図。
【符号の説明】
【００５９】
１…液晶表示モジュール、２…基板又は表示用基板としてのガラス基板、１０…パターンとしてのドットパターン、２０…液滴吐出装置、２６…液滴吐出ヘッド、２８…液滴吐出ノズルとしての第１ノズル、２８…液滴吐出ノズルとしての第２ノズル、３１…液状体又は保護用液状体としての液滴、３２…液状態及び保護用液状体としての液滴、４０…制御部、４２…圧電素子、Ｚ１…パターン形成領域、Ｚ２…余白領域、Ｓ…セル、Ｓ…黒セル、Ｓ０…非形成領域としての白セル、Ｄ…パターン形成要素としてのドット。
【図１】
2006221273.tif 000003
【図２】
2006221273.tif 000004
【図３】
2006221273.tif 000005
【図４】
2006221273.tif 000006
【図５】
2006221273.tif 000007
【図６】
2006221273.tif 000008
【図７】
2006221273.tif 000009
【図８】
2006221273.tif 000010
【図９】
2006221273.tif 000011
【図１０】
2006221273.tif 000012